(57)【要約】  システムアイロンは、アイロンと、アイロンを受け入れる受け入れ領域を有する基部と、を有する。基部は、アイロンを基部に固定する固定装置を有する。固定装置は、受け入れ領域の互いに対向する側に配置される第１の係合部材及び第２の係合部材を有する。係合部材の少なくとも一方は、他方の係合部材から離れる方向に移動可能であり、他方の係合部材に向かってバイアスされる。このような固定装置により、ユーザは、アイロンの主グリップ部分を把持するためにユーザの手のただ一方を使用するだけで、アイロンを安全に且つ便利にロックすることができる。
2010527731.tif 000002
【特許請求の範囲】
【請求項１】
アイロンと、
前記アイロンを受け入れる受け入れ領域を有する基部と、
を有するシステムアイロンであって、前記基部は、前記アイロンを前記基部に固定する固定装置を有し、前記固定装置は、前記受け入れ領域の互いに対向する側に配される第１の係合部材及び第２の係合部材を有し、前記係合部材の少なくとも一方は、他方の係合部材から離れる方向に移動可能であり、前記他方の係合部材に向かってバイアスされる、システムアイロン。
【請求項２】
前記係合部材は、前記アイロンの前部及び後部と係合する、請求項１に記載のシステムアイロン。
【請求項３】
前記移動可能な係合部材は、前記アイロンの前記前部と係合する、請求項２に記載のシステムアイロン。
【請求項４】
前記係合部材は、前記アイロンの底板と係合する、請求項１に記載のシステムアイロン。
【請求項５】
前記固定装置は、前記移動可能な係合部材を、前記アイロンと係合するロック位置にロックするロック手段を有する、請求項１に記載のシステムアイロン。
【請求項６】
前記基部は、アイロンがけ動作のために必要な蒸気を生成する蒸気生成器を有する、請求項１に記載のシステムアイロン。
【請求項７】
前記基部は、携帯可能な基部であり、前記固定装置は、前記システムアイロンを単一のユニットとして運搬可能にすることを容易にする、請求項１に記載のシステムアイロン。
【発明の詳細な説明】
【技術分野】
【０００１】
本発明は、システムアイロンに関し、特に、システムアイロン用の固定装置に関する。
【背景技術】
【０００２】
アイロンがけ動作の後、アイロン及び基部を有するシステムアイロンは、次の使用まで、キャビネット等に保管されるために運ばれる。運搬の際、アイロンが、基部に適切に固定されていない場合、アイロン及び基部が離れて、落下する可能性がある。これを防ぐために、システムアイロンを運搬する前に十分な結合を確認する必要がある。
【発明の概要】
【発明が解決しようとする課題】
【０００３】
通常のシステムアイロンにおいて、アイロンを基部に置き、アイロンを基部に固定する際、ユーザが熱いアイロンに触れる機会がありうるので、注意が払われなければならない。
【０００４】
国際公開第２００６／０２７４６４号パンフレットは、アイロンと、アイロンを下ろすための表面を備える携帯可能な基部と、を有するアイロン機器を記述している。アイロンは、底板を有し、一体化されたハンドルを有する本体部が底板の上に搭載される。基部は、アイロンを動かなくする手段を有する。かかる手段は、アイロン機器全体が、アイロンのハンドルの助けを借りて運搬されることができるように、ハンドルの上方及び下方でアイロンの本体部と係合する。このアイロン機器は、アイロンの前部と係合するために回転抑制手段を動かすことを必要とする。アイロンを基部に固定するプロセスにおいて、ユーザの手が、底板に近付きすぎることがあり、ユーザが、偶発的に熱い底板に触れる可能性がある。
【０００５】
従って、本発明の目的は、上述の不利益を有しないシステムアイロンを提供することであり、特に、システムアイロン用の安全な且つ便利な固定フィーチャを提供することである。
【課題を解決するための手段】
【０００６】
この目的を達成するために、本発明は、アイロンと、アイロンを受け入れる受け入れ領域を有する基部と、を有するシステムアイロンであって、基部は、アイロンを基部に固定する固定装置を有し、固定装置は、受け入れ領域の互いに対向する側に配される第１の係合部材及び第２の係合部材を有し、係合部材の少なくとも一方は、他方の係合部材から離れる方向に移動可能であり、他方の係合部材に向かってバイアスされる、システムアイロンを提案する。このような固定装置により、ユーザは、アイロンの主グリップ部分を把持するためにユーザの手のただ一方を使用するだけで、アイロンを基部に安全に且つ便利にロックすることができる。ユーザの手中にアイロンのグリップ部分がある状態で、ユーザは、最初に、移動可能な係合部材に対してアイロンを押して、他方の係合部材から離れるほうに前記部材を動かす。その後、ユーザは、２つの係合部材の間にアイロンを置き、再び可動の係合部材を解放する。その結果、可動の係合部材は、他方の係合部材に向かって戻るほうにバイアスされ、それによって、アイロンは、２つの係合部材の間にクランプされる。これを行う際、ユーザの手は、熱い底板に近付かず、よって、ユーザの手が底板と接触するリスクは非常に小さい。本発明は更に、システムアイロンの運搬のためにアイロンのハンドルへのフリーアクセスを可能にし、更に、運搬中にシステムアイロンの重さ全体を支持するために、一体化されたハンドルを有するアイロンの堅固さを使用する。
【０００７】
本発明の他の実施例によれば、係合部材は、アイロンの前部及び後部と係合するように構成される。この係合は、運搬中、アイロンと係合部材との間の安定した係合を確実にする。
【０００８】
本発明の他の実施例によれば、移動可能な係合部材は、アイロンの前部と係合するように構成される。アイロンの前部は、通常、先細の設計を有する。整合設計を有する移動可能な係合部材を提供することによって、基部上へのアイロンの正確な位置付けが達成される。
【０００９】
本発明の更に別の実施例によれば、係合部材は、アイロンの底板と係合するように設計され構成される。係合部材は、アイロンの前部のみでなく底板の前部にも係合することができる。これは、アイロンと基部との間の強力な結合を確実にし、更には安全な且つ簡単な固定を確実にする。
【００１０】
本発明の更に別の実施例によれば、固定装置は、移動可能な係合部材を、アイロンと係合するロック位置に固定するロック部材を有する。移動可能な係合部材は、前記ロック手段によって偶発的な移動を防止されるので、ロック手段は、固定装置の安全性を改善する。
【００１１】
本発明の別の実施例によれば、基部は、アイロンがけ動作のために必要な蒸気（スチーム）を生成する蒸気生成部を有する。蒸気生成部において生成される蒸気は、ホースを通じてアイロンに送られる。蒸気は、アイロンがけされる衣服からしわを除去することを助ける。古典的なアイロンと比較して、システムアイロンは、それが蒸気生成部を有するので、重い。上述した固定は、システムアイロンの安全な取り扱いを確実にする。
【００１２】
本発明の他の実施例によれば、基部は、携帯可能な基部であり、基部内の固定装置は、システムアイロンを単一のユニットとして運搬可能にすることを容易にする。これは、システムアイロンが、アイロンがけ動作の後に安全に運搬され、保管されることを可能にする。
【図面の簡単な説明】
【００１３】
【図１】本発明の一実施例によるシステムアイロンを示す図。
【図２】図１のシステムアイロンの固定装置を有する基部を示す図。
【図３】図１のシステムアイロンの移動可能な係合部材を示す図。
【図４】システムアイロンの基部へのアイロンの前部の係合を示す図。
【図５】基部と係合された図４のアイロンを示す図。
【発明を実施するための形態】
【００１４】
本発明は、具体的な実施例に関して及び特定の図面を参照して記述されるが、本発明はそれらに限定されない。請求項におけるいかなる参照符号も、請求項の範囲を制限するものとして解釈されるべきではない。記述される図面は、概略的なものに過ぎず、非限定的である。図面において、構成要素のいくつかの大きさは、説明の便宜上、誇張され、一定の縮尺で描かれていないことがある。「有する、含む」なる語が、本記述及び請求項において使用されているが、それは他の構成要素又はステップを除外しない。単数名詞に言及する際、例えば「a」、「an」、「the」のような不定冠詞又は定冠詞が使用されているが、これは、特記されない限り当該構成要素の複数形を除外しない。
【００１５】
更に、本記述及び請求項における第１、第２、第３等の語は、同様の構成要素間の区別をするために使用されており、必ずしも順次又は時系列の順序を記述するためのものではない。このように使用される語は、適当な状況下で交替可能であり、本明細書に記述される本発明の実施例は、本明細書に記述され又は説明されるものと別の順序で動作することが可能であることが理解されるべきである。
【００１６】
更に、本記述及び請求項における上部、下部、上の、下の等の語は、説明の目的で使用されており、必ずしも相対的な位置を記述するために使用されているのではない。このように使用される語は、適当な状況下で交替可能であり、本明細書に記述される本発明の実施例は、本明細書に記述される又は説明されるものと別の向きで動作することが可能であることが理解されるべきである。
【００１７】
図１に示されるように、システムアイロン１００は、アイロン２００及び基部３００を有する。アイロンは、底板２１０を有し、基部３００は、固定装置２２０を有する。固定装置２２０は、アイロン２００の前部と係合する移動可能な係合部材２２４（以下、移動可能な係合部材と称する）と、アイロン２００の後部と係合する係合部材２２２（以下、後部係合部材と称する）と、を有する。アイロン２００は、耐熱載置パッド２１２上に載る。
【００１８】
図２において、基部３００が、アイロン２００なしで示されている。移動可能な係合部材２２４及び後部係合部材２２２は、アイロン２００を基部３００と係合するように設計される。
【００１９】
図３は、前方の移動可能な係合部材２２４の拡大図である。移動可能な係合部材２２４は、可動素子２２６、ガイド２２７及び圧縮ばね２２８を有する。
【００２０】
図４は、アイロンの底板２１０を固定することによる、基部３００へのアイロン２００の前部の係合を示し、図５は、アイロン２００が基部３００と係合されているシステムアイロン１００を示す。
【００２１】
図４に示されるように、ユーザは、最初に、移動可能な係合部材２２４の可動素子２２６を、後部係合部材２２２から離れるほうに押すことによって、底板２１０の前部を係合させる。移動可能な係合部材２２４は、可動素子２２６の移動を、実質的に直線の移動においてガイドするためのガイド２２７を有する。圧縮ばね２２８は、基部３００に底板２１０をロックするために十分である係合力を維持するために提供される。可動素子２２６は、アイロン２００が移動可能な係合部材２２４と後部係合部材２２２との間に着座するような位置へ、前方に押される。この位置において、ユーザは、アイロン２００を押している圧縮ばね２２８によって及ぼされるバネ力に対するユーザの保持を徐々に解放し、それにより、後部係合部材２２２と係合するように底板２１０を後方に徐々に動かす。後部係合部材２２２は、底板２１０の後部を固定するように設計されるショルダ部を有する。底板２１０が、後部係合部材２２２と係合すると、アイロン２００の基部３００に対する固定が、図５に示されるように達成される。例えば振動のような外的影響によるアイロン２００の偶発的な解放を防ぐために、移動可能な係合部材をロック位置に固定するための付加的なロック手段（図示せず）を移動可能な係合部材に設けることも可能である。こうして、ユーザは、アイロン２００の主グリップ部分を把持するためにユーザの手のただ一方を使用するだけで、アイロン２００を基部３００に安全に且つ便利にロックすることができる。これを行う際、ユーザの手は、熱い底板２１０に近付かず、よって、ユーザの手が底板２１０と接触するリスクは非常に小さい。
【００２２】
移動可能な係合部材２２４が、底板２１０の前端の代わりに、アイロン２００のハウジングの前部と係合することも可能である。
【００２３】
好適な実施例において、基部３００は、システムアイロン１００のスタンド（図示せず）の一部である。係合位置において、アイロン２００及び基部３００は、アイロン２００のハンドルをつかむことによって、単一のユニットとして運搬されることができる。
【００２４】
別の好適な実施例において、基部３００は、コードレスアイロンのスタンドの一部である。コードレスアイロンのスタンドは、アイロンが充電のためにスタンドに戻されるときにアイロンを充電する充電ユニットを有する。
【００２５】
更に別の好適な実施例において、基部３００は、アイロン台のスタンドの一部である。
【００２６】
好適な実施例、特定の構造及び構成が、本発明に従って本明細書に記述されたが、形態及び詳細のさまざまな変更又は変形が、本発明の範囲及び精神を逸脱することなく行われることができることが理解されるべきである。
【図１】
2010527731.tif 000003
【図２】
2010527731.tif 000004
【図３】
2010527731.tif 000005
【図４】
2010527731.tif 000006
【図５】
2010527731.tif 000007
【国際調査報告】
2010527731.tif 000008
2010527731.tif 000009
2010527731.tif 000010